(57)【要約】【課題】充電式電源を備え、且つ充電式電源に対する充電作業を容易化し、外部操作で物理的に電源供給の入り切りを可能とする電動遮蔽装置を提供する。【解決手段】本発明の電動遮蔽装置は、支持体を用いて吊下支持される遮蔽材の開閉を制御する制御基板９への電源供給を可能とする充電式電源８と、充電式電源８の充電側入力端子に一端を電気的に接続し他端を支持体から垂下する通電コード１１と、通電コード１１、又は通電コード１１を保持する棒状体（チルト操作棒４９，７５）の引き操作で、遮蔽材の開閉動作を操作可能とする切り替え機構（プルＳＷ部１０）と、を備える。【選択図】図１
2019206863.tif 000002
【特許請求の範囲】
【請求項１】
支持体を用いて吊下支持される遮蔽材の開閉を電気的に制御可能とする電動遮蔽装置であって、
前記遮蔽材の開閉を制御する制御基板への電源供給を可能とする充電式電源と、
前記充電式電源の充電側入力端子に一端を電気的に接続し他端を前記支持体から垂下する通電コードと、
前記通電コード、又は前記通電コードを保持する棒状体の引き操作で、前記遮蔽材の開閉動作を操作可能とする切り替え機構と、
を備えることを特徴とする電動遮蔽装置。
【請求項２】
前記充電式電源は、前記支持体に設置されていることを特徴とする、請求項１に記載の電動遮蔽装置。
【請求項３】
前記充電式電源に対し前記通電コードを介して給電可能とする給電源と前記通電コードとが着脱可能に構成されていることを特徴とする、請求項１又は２に記載の電動遮蔽装置。
【請求項４】
前記通電コードを引き操作可能な長さで当該支持体から垂下させていることを特徴とする、請求項１から３のいずれか一項に記載の電動遮蔽装置。
【請求項５】
前記棒状体を引き操作可能な長さで当該支持体から垂下させていることを特徴とする、請求項４に記載の電動遮蔽装置。
【請求項６】
前記切り替え機構は、前記通電コード、又は前記通電コードを保持する棒状体の引き操作で、前記遮蔽材の開閉動作を操作可能とし、且つ前記充電式電源から前記制御基板への電源供給の入り切りを操作可能とするよう構成されていることを特徴とする、請求項１から５のいずれか一項に記載の電動遮蔽装置。
【請求項７】
前記棒状体を伸縮自在に構成していることを特徴とする、請求項１から６のいずれか一項に記載の電動遮蔽装置。
【発明の詳細な説明】
【技術分野】
【０００１】
本発明は、スクリーンや、スラット、カーテン等の遮蔽材の開閉を電動で制御可能とするロールスクリーン、横型ブラインド、縦型ブラインド、プリーツスクリーン、たくし上げカーテン、カーテンレール等に関するものであり、特に、充電式電源を備える電動遮蔽装置に関する。
【背景技術】
【０００２】
一般的に、電動遮蔽装置は、遮蔽材を吊下支持するための支持体（例えば横型ブラインドであればヘッドボックス、縦型ブラインドであればハンガーレール等の枠体、或いはロールスクリーンであれば取付フレーム又は支持部材で支持された巻取パイプ）に、スイッチレスのＡＣアダプタ等の電源を設け、このＡＣアダプタから延びるＡＣケーブルをコンセントに接続しているものが多い。
【０００３】
しかし、この場合には、当該電動遮蔽装置から常にＡＣケーブルが垂下するような見栄えとなりやすく、意匠性の観点で改善の余地がある。
【０００４】
そこで、電動遮蔽装置の一種として、遮蔽材を吊下支持するための当該支持体に、充電式電源を設ける構成が知られている（例えば、特許文献１参照）。
【０００５】
一方、再充電可能なバッテリーによる電力供給部を具備する動力供給デバイスを細長い棒状のロッドにより構成し、電動遮蔽装置の本体から取外し可能としたものが開示されている（例えば、特許文献２参照）。
【０００６】
尚、電動遮蔽装置の一種として、引っ張りコードによるプル操作により制御基板における２種類のモーター制御の切り替えを可能とするものもある（例えば、特許文献３参照）。この技法では、制御基板は常に電源から電源供給され、引っ張りコードの操作はモーター制御の切り替えに利用するものとなっている。
【先行技術文献】
【特許文献】
【０００７】
【特許文献１】特許第５３７６７２１号明細書
【特許文献２】特表２００５−５０６４７４号公報
【特許文献３】米国特許出願公開第２０１７／０２６８２９３号明細書
【発明の概要】
【発明が解決しようとする課題】
【０００８】
まず、特許文献１に開示されるように、電動遮蔽装置に対して、遮蔽材を吊下支持するための当該支持体に、充電式電源を設ける構成とすることで、充電式電源が蓄電された状態では当該ＡＣアダプタの接続は不要となるため、その意匠性を向上させることができる。
【０００９】
しかし、充電式電源の充電コネクタは当該支持体に配置されるため、その支持体が高い位置にある場合や電動遮蔽装置の近傍にコンセントが無い場合、充電に困難を伴うことがある。
【００１０】
一方、特許文献２に開示されるように、再充電可能なバッテリーによる電力供給部を具備する動力供給デバイスを細長い棒状のロッドにより構成することで、充電作業自体は容易になる。しかし、この特許文献２に開示される技法では、電動遮蔽装置の使用時には、その本体に対するロッド先端の電気接続端子の接続を不可欠とする一方で、当該電力供給部の充電時には、ロッド先端の電気接続端子の損傷を避けるためには電動遮蔽装置の本体からロッドを取り外すことが不可欠となり、使い勝手が悪くなるという問題が生じる。
【００１１】
尚、特許文献３に開示されるように、引っ張りコードによるプル操作により制御基板における２種類のモーター制御の切り替えを可能とするものが知られている。ただし、電動遮蔽装置においては、モーター制御の切り替えは外部操作用のスイッチやリモートコントローラ（以下、「リモコン」と称する）で選択操作可能とすることや、引っ張りコードのプル操作により電源供給のＯＮ／ＯＦＦを切り替え可能な構成とすることも望まれている。つまり、引っ張りコードのプル操作により物理的に電源供給の入り切りができるようにして、節電効果や安心の観点から好ましいとする要望がある。
【００１２】
そこで、本発明の目的は、上述の問題に鑑みて、充電式電源を備え、且つ充電式電源に対する充電作業を容易化する電動遮蔽装置を提供することにある。好適には、モーター制御の切り替えは外部操作用のスイッチやリモートコントローラ（以下、「リモコン」と称する）で選択操作可能とすることや、引っ張りコードのプル操作により電源供給のＯＮ／ＯＦＦを切り替え可能な構成とする。
【課題を解決するための手段】
【００１３】
本発明の電動遮蔽装置は、遮蔽材の開閉を電気的に制御可能とする電動遮蔽装置であって、前記遮蔽材の開閉を制御する制御基板への電源供給を可能とする充電式電源と、前記充電式電源の充電側入力端子に一端を電気的に接続し他端を前記支持体から垂下する通電コードと、前記通電コード、又は前記通電コードを保持する棒状体の引き操作で、前記遮蔽材の開閉動作を操作可能とする切り替え機構と、を備えることを特徴とする。
【００１４】
また、本発明の電動遮蔽装置において、前記充電式電源は、前記支持体に設置されていることを特徴とする。
【００１５】
また、本発明の電動遮蔽装置において、前記充電式電源に対し前記通電コードを介して給電可能とする給電源と前記通電コードとが着脱可能に構成されていることを特徴とする。
【００１６】
また、本発明の電動遮蔽装置において、前記通電コードを引き操作可能な長さで当該支持体から垂下させていることを特徴とする。
【００１７】
また、本発明の電動遮蔽装置において、前記棒状体を引き操作可能な長さで当該支持体から垂下させていることを特徴とする。
【００１８】
また、本発明の電動遮蔽装置において、前記切り替え機構は、前記通電コード、又は前記通電コードを保持する棒状体の引き操作で、前記遮蔽材の開閉動作を操作可能とし、且つ前記充電式電源から前記制御基板への電源供給の入り切りを操作可能とするよう構成されていることを特徴とする。
【００１９】
また、本発明の電動遮蔽装置において、前記棒状体を伸縮自在に構成していることを特徴とする。
【発明の効果】
【００２０】
本発明によれば、充電式電源とすることで意匠性を向上させ、且つ充電式電源に対する充電作業を容易化できる。好適には、モーター制御の切り替えは外部操作用のスイッチやリモコンで選択操作可能として利便性が向上させ、引っ張りコードのプル操作により電源供給のＯＮ／ＯＦＦを切り替え可能な構成とし、節電効果や安心性を向上させることができる。
【図面の簡単な説明】
【００２１】
【図１】本発明による第１実施形態の電動遮蔽装置としてのロールスクリーンの概略構成を示す正面図である。
【図２】本発明による第１実施形態の電動遮蔽装置における実施例１の充電式電源周辺の概略構成を示す正面図である。
【図３】本発明による第１実施形態の電動遮蔽装置における実施例１に係る動作例を示すフローチャートである。
【図４】本発明による第１実施形態の電動遮蔽装置における実施例２の充電式電源周辺の概略構成を示す正面図である。
【図５】本発明による第１実施形態の電動遮蔽装置における実施例３の充電式電源周辺の概略構成を示す正面図である。
【図６】本発明による第１実施形態の電動遮蔽装置における実施例３に係る動作例を示すフローチャートである。
【図７】本発明による第２実施形態の電動遮蔽装置としての横型ブラインドの概略構成を示す正面図である。
【図８】本発明による第３実施形態の電動遮蔽装置としての縦型ブラインドの概略構成を示す正面図である。
【発明を実施するための形態】
【００２２】
以下、図面を参照して、本発明による各実施形態の電動遮蔽装置を説明する。尚、本願明細書中、図１に示す電動遮蔽装置の一例であるロールスクリーンの正面図に対して、図示上方及び図示下方を上方向（又は上側）及び下方向（又は下側）と定義し、図示左方向をロールスクリーンの左側、及び、図示右方向をロールスクリーンの右側と定義して説明する。また、図１の正面図を視認する側を前側（室内側）とし、その反対側を後側（室外側）とする。
【００２３】
〔第１実施形態〕
まず、図１を参照して、本発明による第１実施形態の電動遮蔽装置としてのロールスクリーンを説明する。図１は、本発明による第１実施形態の電動遮蔽装置としてのロールスクリーンの概略構成を示す正面図である。
【００２４】
図１に示すロールスクリーンは、取付フレーム１の両端にそれぞれ支持部材２が固定され、その両端の支持部材２間に円筒状の巻取パイプ３が回転可能に支持される。本例では、主に意匠性の向上のために、各支持部材２に対し、その全体を覆うようなサイドカバー６が設けられている。
【００２５】
巻取パイプ３は、スクリーン４の上端を取着して巻き取り可能に吊下支持している。スクリーン４の下端は、錘部材として機能するウェイトバー５に取着されている。従って、スクリーン４はウェイトバー５の重量に基づいて張設される。
【００２６】
また、巻取パイプ３内には、スクリーン４の巻き上げ、或いは巻き戻しを可能とするよう巻取パイプ３を正逆回転させるモーター７と、モーター７の回転に伴ってパルス信号を出力するエンコーダー７ａが収容されている。尚、エンコーダー７ａ及びモーター７を一体化したエンコーダー付きモーターとしてもよい。
【００２７】
取付フレーム１には、充電式電源８、制御基板９、及びプルＳＷ（スイッチ）部１０が配接されている。
【００２８】
充電式電源８は、通電コード１１及び充電コード２０を介してＡＣアダプタ３０と電気的に接続可能に構成され、ＡＣアダプタ３０との接続で充電し蓄電する電池で構成されている。
【００２９】
尚、本例の通電コード１１は、可撓性の絶縁被膜された電気接続可能なコードであるが、引き紐を兼ねている。即ち、通電コード１１の一端が充電式電源８の充電側入力端子（ＩＮ）に電気的に常時接続され、通電コード１１がプルＳＷ部１０の制御端子１０ａを貫通し、右端側の支持部材２を覆うサイドカバー６の外面に沿って垂下している（図１参照）。
【００３０】
以下、各実施例の充電式電源８周辺の概略構成を順に説明する。
【００３１】
（実施例１）
図２は、本発明による第１実施形態の電動遮蔽装置における実施例１の充電式電源８周辺の概略構成を示す正面図であり、図３は、その実施例１に係る動作例を示すフローチャートである。
【００３２】
図２に示すように、充電式電源８は、通電コード１１及び充電コード２０を介してＡＣアダプタ３０と電気的に接続可能に構成され、ＡＣアダプタ３０との接続で充電し蓄電する電池で構成されている。
【００３３】
通電コード１１上に係止リング１１ａが固着されているため、通電コード１１の引き操作で、プルＳＷ部１０の制御端子１０ａに係止リング１１ａが当接し、制御端子１０ａを稼動させ、通電コード１１を引いている時のみ接点１０ｂがつながり、通電コード１１を引くのを解除すると接点１０ｂのつながりを解除させることができる。
【００３４】
そして、通電コード１１の他端にはグリップ１２が設けられ、当該他端はグリップ１２内の接続ハウジング１２ａに電気的に接続されている。グリップ１２内の接続ハウジング１２ａは充電コード２０の一端の接続コネクタ２０ａと電気的に接続可能となっており、充電コード２０の他端の接続コネクタ２０ｂはＡＣアダプタ３０の出力端子３０ａと接続可能となっている。このため、ＡＣアダプタ３０の入力端子（図示略）がコンセントに接続され、ＡＣアダプタ３０と充電式電源８とが通電コード１１及び充電コード２０を介して電気的に接続された状態では、充電式電源８を充電させることができる。
【００３５】
また、非充電時には、グリップ１２内の接続ハウジング１２ａから、充電コード２０の一端の接続コネクタ２０ａを取り外すことができる。本例では、充電コード２０も可撓性の絶縁被膜された電気接続可能なコードとし、例えばＵＳＢケーブルを利用できる。このため、充電コード２０とＡＣアダプタ３０との接続・非接続も可能とし、取り外すことができるようにしている。ただし、充電コード２０とＡＣアダプタ３０とを一体化させたものでもよい。
【００３６】
充電式電源８の電源出力側出力端子（ＯＵＴ）は、制御基板９の電源入力端子（ＩＮ）に電気的に接続されるとともに、出力コード８１を介してプルＳＷ部１０の接点１０ｂの一方の端子に電気的に接続されている。また、プルＳＷ部１０の接点１０ｂの他方の端子は出力コード９１を介して制御基板９のプルＳＷ検知端子に電気的に接続されている。当該プルＳＷ検知端子は、プルＳＷ部１０の接点１０ｂの閉動作を検知するための入力端子であり、例えば、制御基板９内で、プルダウン抵抗やプルアップ抵抗を利用してプルＳＷ部１０の接点１０ｂが閉じているときはＯＮ、開いているときはＯＦＦとなるように、プルＳＷ部１０の接点１０ｂの閉動作を検知することができる。尚、制御基板９内にプルダウン抵抗やプルアップ抵抗とは異なる電圧検知機能を設けて接点１０ｂの開閉を検知する構成としてもよい。
【００３７】
このため、通電コード１１の引き操作でプルＳＷ部１０の制御端子１０ａの接点１０ｂを閉じ、通電コード１１を手放すとプルＳＷ部１０の制御端子１０ａの接点１０ｂを開くことができ、これを制御基板９は検知することができる。尚、図２に示すプルＳＷ１０は、通電コード１１の引き操作を検知して動作させる構成を概念的に示す図であり、図示する物理スイッチとする以外にも、通電コード１１の引き操作を検知するセンサーを用いて構成してもよい。
【００３８】
制御基板９は、通電コード１１の引き操作に応じて、遮蔽材の上昇／下降／停止を制御し、本例ではスクリーン４の巻き上げ、或いは巻き戻しについて、エンコーダー７ａからのパルス信号を入力してカウントすることでモーター７の回転角や回転速度等を監視しながら、モーター７の正逆回転の制御を行う。
【００３９】
例えば、図３に示すように、通電コード１１を引くことで、スクリーン４の上昇又は下降のうちいずれか一方の動作を開始すると（ステップＳ１）、再度、通電コード１１を引くことで、該動作を停止させることができる（ステップＳ２）。引き続き、再度、通電コード１１を引くことで、上昇又は下降のうちいずれか他方の動作を開始すると（ステップＳ３）、再度、通電コード１１を引くことで、該動作を停止させることができる（ステップＳ４）。このように、制御基板９は、通電コード１１の引き操作に応じてプルＳＷ部１０の接点１０ｂの閉動作を検知し、スクリーン４の上昇→停止→下降→停止→・・・と、繰り返す動作を行うように制御する。
【００４０】
（実施例２）
図４は、本発明による第１実施形態の電動遮蔽装置における実施例２の充電式電源８周辺の概略構成を示す正面図である。図４において、図２に示す実施例１と同様な構成要素には同一の参照番号を付している。
【００４１】
上述した図２及び図３に係る実施例１では、充電式電源８に対し充電可能とする通電コード１１の引き操作のみで、制御基板９は、遮蔽材（本例ではスクリーン４）の開閉に係る制御を行う例を示したが、遮蔽材（本例ではスクリーン４）の開閉に係る外部操作用の有線スイッチや無線又は赤外線リモコン（図１では図示略）からの操作信号を受け付け、エンコーダー７ａから入力されるパルス信号をカウントすることでモーター７の回転角や回転速度等を監視しながら、モーター７の正逆回転の制御を行う構成とすることもできる。
【００４２】
図２に示す実施例１と比較して、図４に示す実施例２では、制御基板９が実施例１と同様に通電コード１１の引き操作のみで遮蔽材（本例ではスクリーン４）の開閉に係る制御を行うことを可能とするだけでなく、制御基板９に対し有線接続される外部操作用の有線スイッチ２５から操作信号を受け付けることや、制御基板９に対し接続される無線受信機９ａを介して無線リモコン２６から無線通信により操作信号を受け付けることや、制御基板９に対し接続される赤外線受信機９ｂを介して赤外線リモコン２７から赤外線通信により操作信号を受け付け、遮蔽材（本例ではスクリーン４）の開閉に係る制御を行うことを可能とした例である。
【００４３】
このように、実施例１，２に係る本実施形態の電動遮蔽装置は、遮蔽材（本例ではスクリーン４）の開閉に係る制御を通電コード１１の引き操作で可能とし、且つ遮蔽材を吊下支持するための支持体（本例では支持部材２で支持された巻取パイプ３）に充電式電源８を載置して、充電式電源８の充電側入力端子（ＩＮ）に一端を電気的に常時接続される通電コード１１の他端を引き操作可能な長さで当該支持体から垂下させて充電式電源８に対し給電源（ＡＣアダプタ３０）から外部給電可能としている。
【００４４】
これにより、充電式電源８に対する充電作業を容易化することが可能となる。また、非充電時には、通電コード１１と給電源（ＡＣアダプタ３０）とを着脱可能とし、その接続を取り外すことで、その意匠性を向上させることができる。
【００４５】
（実施例３）
図５は、本発明による第１実施形態の電動遮蔽装置における実施例３の充電式電源８周辺の概略構成を示す正面図であり、図６は、その実施例３に係る動作例を示すフローチャートである。図５において、図２に示す実施例１と同様な構成要素には同一の参照番号を付している。
【００４６】
上述した実施例１，２では遮蔽材（本例ではスクリーン４）の開閉に係る制御を、充電式電源８に対し充電可能とする通電コード１１の引き操作で可能とし、実施例２ではこれに加えて、外部操作用の有線スイッチや無線又は赤外線リモコンからの操作信号を基に可能とする例を説明した。
【００４７】
一方、図５及び図６に示す実施例３は、図２に示す実施例１からの変形例として図示するが、実施例２からの変形例として構成することもできる。実施例３では、充電式電源８に対する節電効果や安心の観点から、充電式電源８に対し充電可能とする通電コード１１の引き操作で、遮蔽材（本例ではスクリーン４）の開閉に係る制御だけでなく、充電式電源８から制御基板９への電源供給のＯＮ／ＯＦＦを切り替え可能な構成とすることも望まれ、これを実現する例である。
【００４８】
実施例３に係るプルＳＷ部１０は、接点１０ｂ及び接点１０ｃを持つ二入力スイッチで構成されている。
【００４９】
まず、実施例３においても、実施例１，２と同様に、通電コード１１上に係止リング１１ａが固着されているため、通電コード１１の引き操作で、プルＳＷ部１０の制御端子１０ａに係止リング１１ａが当接し、制御端子１０ａを稼動させ、通電コード１１を引いている時のみ接点１０ｂがつながり、通電コード１１を引くのを解除すると接点１０ｂのつながりを解除させることができる。
【００５０】
そして、通電コード１１の他端にはグリップ１２が設けられ、当該他端はグリップ１２内の接続ハウジング１２ａに電気的に接続されている。グリップ１２内の接続ハウジング１２ａは充電コード２０の一端の接続コネクタ２０ａと電気的に接続可能となっており、充電コード２０の他端の接続コネクタ２０ｂはＡＣアダプタ３０の出力端子３０ａと接続可能となっている。このため、ＡＣアダプタ３０の入力端子（図示略）がコンセントに接続され、ＡＣアダプタ３０と充電式電源８とが通電コード１１及び充電コード２０を介して電気的に接続された状態では、充電式電源８を充電させることができる。
【００５１】
また、非充電時には、グリップ１２内の接続ハウジング１２ａから、充電コード２０の一端の接続コネクタ２０ａを取り外すことができる。本例では、充電コード２０も可撓性の絶縁被膜された電気接続可能なコードとし、例えばＵＳＢケーブルを利用できる。このため、充電コード２０とＡＣアダプタ３０との接続・非接続も可能とし、取り外すことができるようにしている。ただし、充電コード２０とＡＣアダプタ３０とを一体化させたものでもよい。
【００５２】
充電式電源８の電源出力側出力端子（ＯＵＴ）は、実施例３では制御基板９の電源入力端子（ＩＮ）に電気的に接続されず、出力コード８１を介してプルＳＷ部１０の接点１０ｂ及び接点１０ｃの各一方の端子に電気的に接続されている。また、プルＳＷ部１０の接点１０ｂ及び接点１０ｃの各他方の端子は出力コード９１を介して制御基板９の電源入力端子（ＩＮ）に電気的に接続されている。この電源入力端子（ＩＮ）を利用して、制御基板９内で、プルダウン抵抗やプルアップ抵抗を利用してプルＳＷ部１０の接点１０ｂが閉じているときはＯＮ、開いているときはＯＦＦとなるように、プルＳＷ部１０の接点１０ｂの閉動作を検知することができる。尚、制御基板９内にプルダウン抵抗やプルアップ抵抗とは異なる電圧検知機能を設けて接点１０ｂの開閉を検知する構成としてもよい。
【００５３】
このため、通電コード１１の引き操作でプルＳＷ部１０の制御端子１０ａの接点１０ｂを閉じ、通電コード１１を手放すとプルＳＷ部１０の制御端子１０ａの接点１０ｂを開くことができ、これを制御基板９は検知することができる。尚、図５に示すプルＳＷ１０は、通電コード１１の引き操作を検知して動作させる構成を概念的に示す図であり、図示する物理スイッチとする以外にも、通電コード１１の引き操作を検知するセンサーを用いて構成してもよい。また、接点１０ｂの開閉検知例として、制御基板９の内部に搭載されるマイクロコンピュータの起動時又は初期化時のみ接点１０ｂの開閉を検知する構成としてもよい。
【００５４】
一方、実施例３に係る制御基板９は、プルＳＷ部１０の接点１０ｂの閉動作の繰り返しで、プルＳＷ部１０の接点１０ｃの開閉を制御するように構成されている。
【００５５】
制御基板９は、通電コード１１の引き操作に応じてプルＳＷ部１０の接点１０ｂの閉動作の繰り返しを監視し、プルＳＷ部１０の接点１０ｃの開閉を制御することで遮蔽材の上昇／下降／停止を制御し、本例ではスクリーン４の巻き上げ、或いは巻き戻しについて、エンコーダー７ａからのパルス信号を入力してカウントすることでモーター７の回転角や回転速度等を監視しながら、モーター７の正逆回転の制御を行う。
【００５６】
例えば、図６に示すように、遮蔽材（本例ではスクリーン４）の開動作（上昇動作）から開始する例とすると、まず、通電コード１１を引き、その引いた状態を継続すると、プルＳＷ部１０の接点１０ｂが閉じられる（ステップＳ１１）。
【００５７】
このとき、プルＳＷ部１０の接点１０ｂが閉まると、制御基板９は接点１０ｂ経由で電源供給状態となり、且つ制御基板９内で接点１０ｂの閉動作を検知することで、接点１０ｃを閉めるよう制御する（ステップＳ１２）。このため、制御基板９は接点１０ｂ，１０ｃの双方経由で電源供給状態となる。
【００５８】
また、制御基板９は、上記の接点１０ｂの閉動作の検知に応じて、遮蔽材（本例ではスクリーン４）の開動作（上昇動作）を開始する（ステップＳ１３）。
【００５９】
ステップＳ１３を経て通電コード１１を引いた状態を解除すると、接点１０ｂ側は開いた状態となるが、制御ＳＷ部の接点１０ｃの接続状態は維持され、制御基板９の電源供給状態は維持される（ステップＳ１４）。
【００６０】
続いて、通電コード１１を再度引いて接点１０ｂ側を閉めると、制御基板９は、制御基板９内で接点１０ｂの閉動作を検知して接点１０ｃの接続を解除し、且つ通電コード１１に基づいた遮蔽材（本例ではスクリーン４）の開動作（上昇動作）を停止する（ステップＳ１５）。このとき、好適には、制御基板９は、遮蔽材の状態情報（開閉位置を示すエンコーダー７ａからのパルス信号に関するカウント値）を制御基板９内のメモリ（図示略）に記憶保持する。
【００６１】
続いて、通電コード１１を引いた状態を解除すると、接点１０ｂ側も開いた状態に遷移し、充電式電源８から制御基板９への電源供給は遮断され、節電状態となる（ステップＳ１５）。
【００６２】
ステップＳ１５を経てステップＳ１１に移行するときは、制御基板９は遮蔽材（本例ではスクリーン４）の閉動作（下降動作）を開始するように制御し、ステップＳ１１乃至Ｓ１５を一組の動作として、この開閉動作に係る制御を繰り返す。
【００６３】
尚、上述した実施例２のように外部操作用の有線スイッチや無線又は赤外線リモコンからの操作信号を基に制御する場合を可能化するために、通電コード１１に基づく制御とするか、該操作信号に基づく制御とするかを切り替え可能なスイッチや操作信号を設けるのが好適である。実施例３において、外部操作用の有線スイッチや無線又は赤外線リモコンからの操作信号を基に制御する場合では、制御基板９は、常時、接点１０ｃを閉じるように制御すればよい。また、通電コード１１の引き操作時間で接点１０ｃの開閉を制御してもよい。例えば通電コード１１の引き操作時間が所定時間未満（例えば３秒未満）であれば接点１０ｃの開閉を制御せずに接点１０ｂの開閉を交互に制御し、当該所定時間以上（例えば３秒以上）であれば接点１０ｃの開閉を交互に制御する。
【００６４】
このように、実施例３に係る本実施形態の電動遮蔽装置は、遮蔽材を吊下支持するための支持体（本例では支持部材２で支持された巻取パイプ３）に充電式電源８を載置して、充電式電源８の充電側入力端子（ＩＮ）に一端を電気的に常時接続される通電コード１１の他端を引き操作可能な長さで当該支持体から垂下させて充電式電源８に対し給電源（ＡＣアダプタ３０）から外部給電可能とし、且つ通電コード１１の引き操作で、充電式電源８から遮蔽材の開閉を制御する制御基板９への電源供給の入り切りを操作可能な構成としている。
【００６５】
これにより、実施例１，２の利点を全て包含し、且つ外部操作で物理的に電源供給の入り切りが可能となる。
【００６６】
〔第２実施形態〕
次に、図７を参照して、本発明による第２実施形態の電動遮蔽装置としての横型ブラインドを説明する。図７は、本発明による第２実施形態の電動遮蔽装置としての横型ブラインドの概略構成を示す正面図である。尚、第１実施形態と同様な構成要素には同一の参照番号を付している。
【００６７】
本実施形態の横型ブラインドは、ヘッドボックス４１の左右両側及びその中央から吊下支持するラダーコード４２を介して遮蔽材（多数段のスラット４４）が吊下支持され、そのラダーコード４２の下端にコードホルダ４５ａを介してボトムレール４５が吊下支持されている。
【００６８】
また、ヘッドボックス４１の左右両側における室外側、及び中央における室内側のラダーコード４２の縦糸に併設してそれぞれ昇降コード４６が垂下され、各昇降コード４６の下端にコードホルダ４５ａを介してボトムレール４５が取着されている。
【００６９】
ヘッドボックス４１の左右両側及びその中央には、コード支持部材４３が配設され、各コード支持部材４３にはラダーコード４２の上端を支持するチルトドラム（図示略）及び昇降コード４６を巻き取り、或いは巻き戻し可能とする巻取ドラム（図示略）が支持されている。当該チルトドラムには第１の駆動軸４７が相対回転不能に挿通され、当該巻取ドラムには第２の駆動軸４８が相対回転不能に挿通されている。
【００７０】
第１の駆動軸４７が回転されると、当該チルトドラムが回転し、ラダーコード４２により吊下支持された多数段のスラット４４の角度が同位相で調節されるようになっている。
【００７１】
ヘッドボックス４１内の右端側にはギヤ機構（図示せず）が配設され、当該ギヤ機構の入力軸にはチルト操作棒４９の上端４９ａが連結される。そして、チルト操作棒４９の末端にはチルト操作棒４９の回転を操作するためのチルト操作グリップ４９ｂが取着され、チルト操作棒４９又はチルト操作グリップ４９ｂの回転が第１の駆動軸４７の回転へと伝達するよう構成されている。従って、チルト操作棒４９又はチルト操作グリップ４９ｂを回転操作することで、第１の駆動軸４７にその回転を伝達し、コード支持部材４３の当該チルトドラムを介してラダーコード４２により吊下支持された多数段のスラット４４の角度を調節することができる。
【００７２】
一方、多数段のスラット４４の昇降は電動操作となっている。具体的には、ヘッドボックス４１には、モーター７、エンコーダー７ａ、充電式電源８、制御基板９、及びプルＳＷ部１０が配接されている。
【００７３】
本実施形態では、モーター７の出力軸が第２の駆動軸４８に対し連結され、昇降コード４６を巻き取り、或いは巻き戻し可能とする当該巻取ドラムの正逆回転を駆動するようになっている。また、エンコーダー７ａは第２の駆動軸４８を相対回転不能に挿通し、モーター７の回転に伴ってパルス信号を出力する。
【００７４】
本実施形態においても、上述した図２，図４，図５を参照して説明した各実施例に示したものと同様に、充電式電源８は、通電コード１１及び充電コード２０を介してＡＣアダプタ３０と電気的に接続可能に構成され、ＡＣアダプタ３０との接続で充電し蓄電する電池で構成されている。
【００７５】
そして、通電コード１１の一端が充電式電源８の充電側入力端子（ＩＮ）に電気的に常時接続され、通電コード１１がプルＳＷ部１０の制御端子１０ａを貫通し、本実施形態の例では、チルト操作棒４９の内部の空洞部を経て垂下し、チルト操作グリップ４９ｂの下端に位置するつまみ５０に取着されている。
【００７６】
上述した図２，図４，図５を参照して説明した各実施例に示したものと同様に、通電コード１１の引き操作で（即ち、つまみ５０の引き操作で）、プルＳＷ部１０の接点１０ｂを閉じ、該引き操作の解除で接点１０ｂを開くことができる。
【００７７】
そして、通電コード１１の他端はつまみ５０内の接続ハウジング５０ａに電気的に接続されている。つまみ５０内の接続ハウジング５０ａは充電コード２０の一端の接続コネクタ２０ａと電気的に接続可能となっており、充電コード２０の他端の接続コネクタ２０ｂはＡＣアダプタ３０の出力端子３０ａと接続可能となっている。このため、ＡＣアダプタ３０の入力端子（図示略）がコンセントに接続され、ＡＣアダプタ３０と充電式電源８とが通電コード１１及び充電コード２０を介して電気的に接続された状態では、充電式電源８を充電させることができる。
【００７８】
また、非充電時には、つまみ５０内の接続ハウジング５０ａから、充電コード２０の一端の接続コネクタ２０ａを取り外すことができる。本例では、充電コード２０も可撓性の絶縁被膜された電気接続可能なコードとし、例えばＵＳＢケーブルを利用できる。このため、充電コード２０とＡＣアダプタ３０との接続・非接続も可能とし、取り外すことができるようにしている。ただし、充電コード２０とＡＣアダプタ３０とを一体化させたものでもよい。
【００７９】
従って、上述した図２，図４，図５を参照して説明した各実施例に示したものと同様に、充電式電源８及び制御基板９を構成することができる。
【００８０】
このように、本実施形態の電動遮蔽装置は、遮蔽材（本例ではスラット４４）を吊下支持するための支持体（本例ではヘッドボックス４１）に充電式電源８を載置して、充電式電源８の充電側入力端子（ＩＮ）に一端を電気的に常時接続される通電コード１１の他端を引き操作可能な長さで当該支持体から垂下させて充電式電源８に対し給電源（ＡＣアダプタ３０）から外部給電可能となる。
【００８１】
これにより、充電式電源８に対する充電作業を容易化し、好適には上述した実施例３のように外部操作で物理的に電源供給の入り切りが可能となる。また、非充電時には、通電コード１１と給電源（ＡＣアダプタ３０）とを着脱可能とし、その接続を取り外すことで、その意匠性を向上させることができる。
【００８２】
ところで、図７に係る実施形態の例では、つまみ５０の引き操作で、プルＳＷ部１０の制御端子１０ａの状態を遷移させるとして説明したが、プルＳＷ部１０の制御端子１０ａに対しチルト操作棒４９の上端４９ａを連結し、チルト操作棒４９又はチルト操作グリップ４９ｂ全体の例えば下方への引き操作で、プルＳＷ部１０の制御端子１０ａの状態を遷移させる構成とすることもできる。この場合も同様の作用・効果を生じさせることができる。
【００８３】
〔第３実施形態〕
次に、図８を参照して、本発明による第３実施形態の電動遮蔽装置としての縦型ブラインドを説明する。図８は、本発明による第３実施形態の電動遮蔽装置としての縦型ブラインドの概略構成を示す正面図である。尚、第１及び第２実施形態と同様な構成要素には同一の参照番号を付している。
【００８４】
本実施形態の縦横型ブラインドは、ハンガーレール７１内に多数のランナー７２がレール長手方向に移動可能に支持され、各ランナー７２のフック部７２ａにより各スラット７４の掛孔７４ａを引っ掛けることで、各ランナー７２からそれぞれスラット７４が吊下支持されている。
【００８５】
各ランナー７２にはハンガーレール７１内で回転可能に支持された角度調節軸７３が挿通されている。そして、ハンガーレール７１の右端側に設けられる操作装置（図示略）から吊下支持されるチルト操作棒７５の回転操作により角度調節軸７３が回転されると、各スラット７４が同位相で回動される。
【００８６】
一方、ハンガーレール７１に沿って移動する各スラット７４の引き出し、或いは畳み込みは、電動操作となっている。具体的には、ハンガーレール７１には、モーター７、エンコーダー７ａ、充電式電源８、制御基板９、及びプルＳＷ部１０が配接されている。
【００８７】
本実施形態では、各ランナー７２を移送するための図示しない駆動ベルトがハンガーレール７１に周回され、この駆動ベルトの回転を駆動する駆動軸７ｂにモーター７の出力軸がギヤ機構（図示せず）を介して連結される。また、エンコーダー７ａは、モーター７の回転に伴ってパルス信号を出力する。
【００８８】
本実施形態においても、上述した図２，図４，図５を参照して説明した各実施例に示したものと同様に、充電式電源８は、通電コード１１及び充電コード２０を介してＡＣアダプタ３０と電気的に接続可能に構成され、ＡＣアダプタ３０との接続で充電し蓄電する電池で構成されている。
【００８９】
第２実施形態と同様に、チルト操作棒７５の下端につまみを設ける構成とすることも可能であるが、本実施形態では、通電コード１１の一端が充電式電源８の充電側入力端子（ＩＮ）に電気的に常時接続され、通電コード１１がプルＳＷ部１０の制御端子１０ａを貫通し、本実施形態の例では、チルト操作棒７５の内部の空洞部を経て垂下しており、通電コード１１の他端はチルト操作棒７５の下端内部の接続ハウジング７５ａに電気的に接続されている。そして、プルＳＷ部１０の制御端子１０ａに対しチルト操作棒７５の上端を連結している。
【００９０】
従って、本実施形態では、チルト操作棒７５全体の例えば下方への引き操作で、プルＳＷ部１０の接点１０ｂを閉じ、該引き操作の解除で接点１０ｂを開くことができる。
【００９１】
そして、チルト操作棒７５の下端内部の接続ハウジング７５ａは充電コード２０の一端の接続コネクタ２０ａと電気的に接続可能となっており、充電コード２０の他端の接続コネクタ２０ｂはＡＣアダプタ３０の出力端子３０ａと接続可能となっている。このため、ＡＣアダプタ３０の入力端子（図示略）がコンセントに接続され、ＡＣアダプタ３０と充電式電源８とが通電コード１１及び充電コード２０を介して電気的に接続された状態では、充電式電源８を充電させることができる。
【００９２】
また、非充電時には、チルト操作棒７５の下端内部の接続ハウジング７５ａから、充電コード２０の一端の接続コネクタ２０ａを取り外すことができる。本例では、充電コード２０も可撓性の絶縁被膜された電気接続可能なコードとし、例えばＵＳＢケーブルを利用できる。このため、充電コード２０とＡＣアダプタ３０との接続・非接続も可能とし、取り外すことができるようにしている。ただし、充電コード２０とＡＣアダプタ３０とを一体化させたものでもよい。
【００９３】
従って、上述した図２，図４，図５を参照して説明した各実施例に示したものと同様に、充電式電源８及び制御基板９を構成することができる。
【００９４】
このように、本実施形態の電動遮蔽装置は、遮蔽材（本例ではスラット７４）を吊下支持するための支持体（本例ではハンガーレール７１）に充電式電源８を載置して、充電式電源８の充電側入力端子（ＩＮ）に一端を電気的に常時接続される通電コード１１の他端を引き操作可能な長さの棒状体（本例ではチルト操作棒７５）に貫通又は沿わせることで保持させて当該支持体から垂下させて充電式電源８に対し給電源（ＡＣアダプタ３０）から外部給電可能となる。
【００９５】
これにより、充電式電源８に対する充電作業を容易化し、好適には上述した実施例３のように外部操作で物理的に電源供給の入り切りが可能となる。また、非充電時には、通電コード１１と給電源（ＡＣアダプタ３０）とを着脱可能とし、その接続を取り外すことで、その意匠性を向上させることができる。
【００９６】
以上、特定の実施形態の例を挙げて本発明を説明したが、本発明は前述の実施形態の例に限定されるものではなく、その技術思想を逸脱しない範囲で種々変形可能である。例えば、上述した第２及び第３実施形態において、通電コード１１を引き操作可能な長さの棒状体（チルト操作棒４９，７５）に貫通又は沿わせることで保持させて構成し、その棒状体全体の操作で充電式電源８から遮蔽材の開閉を制御する制御基板９への電源供給の入り切りを操作可能とするよう構成するときに、通電コード１１に悪影響を及ぼさない範囲内で当該棒状体を伸縮自在としてもよい。また、構造時に、充電式電源８と切り替え機構として機能するプルＳＷ部１０とを一体化させてもよい。
【産業上の利用可能性】
【００９７】
本発明によれば充電式電源とすることで意匠性を向上させ、且つ充電式電源に対する充電作業を容易化し、好適には外部操作で物理的に電源供給の入り切りが可能となり、利便性が向上するので、電動遮蔽装置の用途に有用である。
【符号の説明】
【００９８】
１  取付フレーム
２  支持部材
３  巻取パイプ
４  スクリーン
５  ウェイトバー
７  モーター
７ａ  エンコーダー
８  充電式電源
９  制御基板
１０  切り替え機構（プルＳＷ部）
１１  通電コード
２０  充電コード
３０  ＡＣアダプタ
４１  ヘッドボックス
４２  ラダーコード
４３  コード支持部材
４４  スラット
４５  ボトムレール
４６  昇降コード
４７  第１の駆動軸
４８  第２の駆動軸
４９  棒状体（チルト操作棒）
７１  ハンガーレール
７２  ランナー
７３  角度調節軸
７４  スラット
７５  棒状体（チルト操作棒）
【図１】
2019206863.tif 000003
【図２】
2019206863.tif 000004
【図３】
2019206863.tif 000005
【図４】
2019206863.tif 000006
【図５】
2019206863.tif 000007
【図６】
2019206863.tif 000008
【図７】
2019206863.tif 000009
【図８】
2019206863.tif 000010